(57)【要約】【課題】回動リングの回動操作性を良好に維持しつつ、回動リングから従動部材の従動軸部に不要な負荷が伝達されないようにすることができる遊技機の操作装置を提供する。【解決手段】遊技機の操作装置１は、ベース部材２と、ベース部材２に対して回動中心部３１を中心に回動操作可能な回動リング３と、回動リング３の回動操作を受けて回動する従動軸部５１を有する従動部材５と、回動リング３の回動中心部３１と従動部材５の従動軸部５１とに係合する係合部材４とを備える。係合部材４における、回動中心部３１との係合部位には、係合部材４の径方向Ｒの外方に延出されて、回動リング３の回動操作を係合部材４に伝達するための延出部４２が形成されている。延出部４２における、係合部材４の周方向Ｃの両側に位置する側面４２１は、係合部材４の径方向Ｒから見て係合部材４の周方向Ｃに凸状に膨らむ曲面として形成されている。【選択図】図１
2020137673.tif 000002
【特許請求の範囲】
【請求項１】
ベース部材と、
前記ベース部材に対して、回動中心部を中心に回動操作可能に配置された回動リングと、
前記ベース部材に配置され、前記回動リングの回動操作を受けて回動する従動軸部を有する従動部材と、
前記回動リングの前記回動中心部と前記従動部材の前記従動軸部とに係合する係合部材と、を備え、
前記係合部材における、前記回動中心部との係合部位には、前記係合部材の径方向の外方に延出されて、前記回動リングの回動操作を前記係合部材に伝達するための延出部が形成されており、
前記延出部における、前記係合部材の周方向の両側に位置する側面は、前記係合部材の径方向から見て前記係合部材の周方向に凸状に膨らむ曲面として形成されている、遊技機の操作装置。
【請求項２】
前記延出部は、前記係合部材における径方向の両側に突出して一対に形成されており、
前記回動リングと前記係合部材との間には、前記回動リングを前記係合部材の前記延出部の形成方向に沿って位置ずれ可能にする隙間と、前記回動リングを前記延出部の形成方向に対して傾倒可能にする隙間とが形成されている、請求項１に記載の遊技機の操作装置。
【請求項３】
前記従動部材は、回動式の可変抵抗器であり、
前記従動軸部は、前記従動軸部の周方向の一部に面取り平面が形成された軸形状を有しており、
前記係合部材における、前記従動軸部との係合部位には、前記従動軸部が挿入された筒形状部が形成されており、
前記筒形状部の内側面と前記従動軸部との間には、前記係合部材を前記面取り平面に平行な方向であって前記延出部の形成方向に直交する方向に位置ずれ可能にする隙間が形成されている、請求項１又は２に記載の遊技機の操作装置。
【発明の詳細な説明】
【技術分野】
【０００１】
本発明は、ベース部材に対して回動リングが回動操作可能な遊技機の操作装置に関する。
【背景技術】
【０００２】
パチンコ遊技機等の遊技機においては、遊技者の操作によって遊技領域へ遊技球を発射させるための操作ハンドルの他、遊技者によって操作される種々の操作装置が用いられる。操作ハンドルにおいては、ベース部材に対して回動リングが回動操作可能に配置されており、遊技者によって回動リングが回動されたときに、球発射装置から遊技領域へ遊技球が発射される。
【０００３】
ベース部材内には、遊技者による回動リングの操作を受けて回動して、回動リングの回動量を検出するボリューム（可変抵抗器）が配置されている。また、ベース部材と回動リングとの間には、回動リングを回動操作することを可能にするための小さな間隙が形成されている。そして、この隙間が形成されることによって、回動リングは、ベース部材に対して若干傾けることが可能となる。そのため、回動リングを傾けたときにボリュームに無理な負荷が加わらないようにするための工夫がなされている。
【０００４】
例えば、特許文献１の回転軸の接続構造及びジョイント部材においては、回動リングに相当するハンドルレバーの主動側回転軸とボリュームの従動側回転軸との間に、両者に係合するジョイント部材を配置している。そして、ジョイント部材に対してハンドルレバーを若干傾けることができ、ボリュームに対してジョイント部材を若干傾けることができる。
【先行技術文献】
【特許文献】
【０００５】
【特許文献１】特開２０１１−０６４２３９号公報
【発明の概要】
【発明が解決しようとする課題】
【０００６】
遊技者による回動リングの操作の仕方は、遊技者ごとに異なり、回動リングとベース部材との間隙にコイン等を入れて、回動リングをこじる場合もある。このとき、回動リングをこじる操作による負荷が、ジョイント部材を介してボリュームに伝達される場合も想定される。そのため、回動リングとジョイント部材との係合の仕方、及びジョイント部材とボリュームとの係合の仕方には、更なる改善の余地が残る。
【０００７】
本発明は、かかる課題に鑑みてなされたもので、回動リングの回動操作性を良好に維持しつつ、回動リングから従動部材の従動軸部に不要な負荷が伝達されないようにすることができる遊技機の操作装置を提供しようとして得られたものである。
【課題を解決するための手段】
【０００８】
本発明の一態様は、ベース部材と、
前記ベース部材に対して、回動中心部を中心に回動操作可能に配置された回動リングと、
前記ベース部材に配置され、前記回動リングの回動操作を受けて回動する従動軸部を有する従動部材と、
前記回動リングの前記回動中心部と前記従動部材の前記従動軸部とに係合する係合部材と、を備え、
前記係合部材における、前記回動中心部との係合部位には、前記係合部材の径方向の外方に延出されて、前記回動リングの回動操作を前記係合部材に伝達するための延出部が形成されており、
前記延出部における、前記係合部材の周方向の両側に位置する側面は、前記係合部材の径方向から見て前記係合部材の周方向に凸状に膨らむ曲面として形成されている、遊技機の操作装置にある。
【発明の効果】
【０００９】
前記一態様の遊技機の操作装置においては、回動リングの回動中心部と従動部材の従動軸部とに係合する係合部材の形状に工夫をしている。具体的には、係合部材における、回動中心部との係合部位に、係合部材の径方向の外方に延出された延出部を形成している。そして、延出部における、係合部材の周方向の両側に位置する側面を、係合部材の径方向から見て係合部材の周方向に凸状に膨らむ曲面として形成している。
【００１０】
そして、例えば、遊技者によって、ベース部材と回動リングとの間に形成された隙間等を介して、回動リングがこじられるときには、回動リングは、延出部における、係合部材の径方向から見て係合部材の周方向に凸状に膨らむ曲面としての側面を利用して摺動しつつ傾くことができる。これにより、回動リングを不正にこじるときの負荷が、係合部材を介して従動部材の従動軸部に伝達されないようにすることができる。
【００１１】
一方、回動リングを回動させる力は、回動リングの回動中心部と延出部の両側面における凸状の曲面との当接係合を介して係合部材に伝達され、係合部材から従動部材の従動軸部に伝達される。これにより、回動リングの回動操作性を良好に維持することができる。
【００１２】
それ故、前記一態様の遊技機の操作装置によれば、回動リングの回動操作性を良好に維持しつつ、回動リングから従動部材の従動軸部に不要な負荷が伝達されないようにすることができる。
【図面の簡単な説明】
【００１３】
【図１】実施形態にかかる、遊技機の操作装置を示す斜視図。
【図２】実施形態にかかる、遊技機の操作装置における回動リング、係合部材等の周辺を、回動リングの裏側から見た状態で示す裏面図。
【図３】実施形態にかかる、遊技機の操作装置を、係合部材の一対の延出部の形成方向に沿った断面によって示す説明図。
【図４】実施形態にかかる、遊技機の操作装置の主要部の周辺を、従動部材の従動軸部の面取り平面の形成方向に沿った断面によって拡大して示す説明図。
【図５】実施形態にかかる、遊技機の操作装置における回動リングと係合部材との係合部分の周辺を拡大して示す説明図。
【図６】実施形態にかかる、遊技機の操作装置における回動リングの掛止突起の周辺を拡大して示す説明図。
【図７】実施形態にかかる、操作装置が配置された遊技機の一部を、遊技機の前面から見た状態で示す説明図。
【発明を実施するための形態】
【００１４】
前述した遊技機の操作装置にかかる好ましい実施形態について、図面を参照して説明する。
＜実施形態＞
本形態の遊技機６の操作装置１は、図１〜図３に示すように、遊技者による回動操作が可能なものである。操作装置１は、ベース部材２、回動リング３、従動部材５及び係合部材４を備える。ベース部材２は、遊技機６に固定されている。回動リング３は、ベース部材２に対して、回動中心部３１を中心に回動操作可能に配置されている。従動部材５は、ベース部材２に配置されており、回動リング３の回動操作を受けて回動する従動軸部５１を有する。係合部材４は、回動リング３の回動中心部３１と従動部材５の従動軸部５１とに係合している。
【００１５】
係合部材４における、回動中心部３１との係合部位には、係合部材４の径方向Ｒの外方に延出されて、回動リング３の回動操作を係合部材４に伝達するための延出部４２が形成されている。延出部４２における、係合部材４の周方向Ｃの両側に位置する側面４２１は、係合部材４の径方向Ｒから見て係合部材４の周方向Ｃに凸状に膨らむ曲面として形成されている。
【００１６】
ここで、図１においては、操作装置１の外観を示すとともに、操作装置１内の主要部品の配置を示す。操作装置１内の構成部品は適宜省略して示す。図２は、回動リング３、係合部材４等の周辺を、軸方向Ｌの基端側（裏側）Ｌ２から見た状態で示す。
【００１７】
以下に、本形態の遊技機６の操作装置１について詳説する。
（遊技機６）
図７に示すように、本形態の遊技機６は、遊技球としてのパチンコ球による遊技を行うパチンコ遊技機である。遊技機６は、遊技球による遊技が行われる遊技盤６１、遊技盤６１の遊技領域に向けて遊技球を発射させる球発射装置６２、球発射装置６２による遊技球の発射強度を調整するための操作ハンドルとしての操作装置１、遊技球を貯留する球皿６３等を備える。操作ハンドル及び球皿６３は、遊技機６の前面に位置する前面パネル６０に配置されており、操作ハンドルは、球皿６３の右側方に配置されている。
【００１８】
本形態の操作装置１は、回動リング３の回動操作量によって球発射装置６２から遊技球を発射させる際の発射強度を調整するよう構成されている。操作装置１は、操作ハンドルとする以外にも、例えば、遊技機６における遊技に関連した演出に対して遊技者が操作入力を行うための演出入力装置とすることができる。また、操作装置１は、遊技機６において回動操作が行われる種々の演出装置とすることもできる。
【００１９】
図３及び図７に示すように、本形態の遊技機６において、操作装置１における軸方向Ｌは、遊技機６の前後方向に向けられる。そして、操作装置１における軸方向Ｌの先端側Ｌ１は、遊技機６における前後方向の前方側に位置し、操作装置１における軸方向Ｌの基端側Ｌ２は、遊技機６における前後方向の後方側に位置する。
【００２０】
操作装置１において、回動リング３、係合部材４及び従動部材５の各中心軸線は、同軸状に近い状態で互いに平行に配置されている。そして、回動リング３、係合部材４及び従動部材５の軸方向Ｌは同じである。また、回動リング３、係合部材４及び従動部材５の径方向Ｒ及び周方向Ｃも同じである。
【００２１】
（ベース部材２）
図１及び図３に示すように、ベース部材２は、操作装置１における、回動リング３の軸方向Ｌの基端側Ｌ２に位置して、遊技機６の前面パネル６０に取り付けられるベース２１と、操作装置１における、回動リング３の軸方向Ｌの先端側Ｌ１に位置して、ベース２１に取り付けられたキャップ２２とを有する。キャップ２２は、ベース２１の内部に設けられた複数の支柱２１１に取り付けられている。キャップ２２は、半球状に形成されている。
【００２２】
キャップ２２は、回動リング３における回動中心部３１の軸方向Ｌの先端側Ｌ１に対向する第１キャップ部２２１と、第１キャップ部２２１の軸方向Ｌの先端側Ｌ１に位置する半球状の第２キャップ部２２２と、第２キャップ部２２２の軸方向Ｌの先端側Ｌ１に位置する半球状の第３キャップ部２２３とを有する。後述するように、第１〜第３キャップ部２２１，２２２，２２３は、光を透過させる部材によって構成されている。
【００２３】
ベース部材２のベース２１には、回動リング３が回動操作された状態において、遊技球の発射を停止させるための発射停止部材１１及び発射停止スイッチ１２が配置されている。発射停止部材１１の操作部は、回動リング３の外周側に配置されている。発射停止スイッチ１２は、発射停止部材１１の操作を受けて、回動リング３の回動操作による遊技球の発射電気信号を遮断するよう構成されている。
【００２４】
（従動部材５）
図１及び図３に示すように、本形態の従動部材５は、回動式のボリューム（可変抵抗器）によって構成されている。従動部材５の従動軸部５１は、ボリュームの操作部によって構成されている。ボリュームは、操作部の回動操作量に応じて抵抗値を変化させるものである。回動リング３の回動操作を受けてボリュームの操作部の回動操作量が変化したときには、球発射装置６２による遊技球の発射強度が調整される。
【００２５】
従動部材５は、ボリュームとする以外にも、ボリュームの操作部に配置された種々の動力伝達部材とすることもできる。この場合には、動力伝達部材は、例えば、２つの回転軸を用いる方式として、ボリュームの操作部に同軸状に設けられた部材、ボリュームの操作部の中心軸線に平行に設けられ、歯車等を介して操作部に係合する部材等とすることができる。
【００２６】
図２に示すように、従動部材５の従動軸部５１は、従動軸部５１の周方向Ｃの一部に面取り平面５１１が形成された軸形状を有している。面取り平面５１１を有する軸形状は、Ｄ型の断面形状を有することより、Ｄカット形状と呼ぶことがある。面取り平面５１１は、従動軸部５１の軸方向Ｌに平行に形成されており、従動軸部５１のトルク伝達を行うために形成されている。
【００２７】
（回動リング３）
図１〜図３に示すように、回動リング３の外周には、径方向Ｒに突出して、遊技者の指が掛止される掛止突起３４が複数形成されている。ベース２１内には、回動リング３を初期位置３０１に付勢するバネ１３が配置されている。回動リング３は、初期位置３０１から右回り（時計回り）に回動する量に応じて、球発射装置６２による遊技球の発射強度を強くするよう構成されている。
【００２８】
回動リング３の軸方向Ｌの基端側Ｌ２に隣接する位置であって、ベース部材２のベース２１の外周側には、遊技者の手が触れたことを検出するための静電容量検出リング１４が配置されている。ベース２１内には、静電容量検出リング１４と導通されて、静電容量検出リング１４に遊技者の手が触れたときの静電容量を検出する静電容量センサ１５が配置されている。静電容量センサ１５は、人の接触を検知する人感センサとして機能する。
【００２９】
回動リング３は、係合部材４と係合する回動中心部３１が形成された中心側部位３５と、中心側部位３５の外周側に連結されて、複数の掛止突起３４が設けられた外周側部位３６とを有する。中心側部位３５と外周側部位３６との間には、ベース部材２の支柱２１１等が配置される穴部３５１が形成されている。中心側部位３５と外周側部位３６とは、繋ぎ部３５２によって繋がれている。
【００３０】
回動リング３における中心側部位３５の軸方向Ｌの基端側Ｌ２の表面には、係合部材４の延出部４２が、その形成方向Ｒ２にスライドすることを案内する案内溝３２が形成されている。案内溝３２は、係合部材４の一対の延出部４２に合わせて一対に形成されている。
【００３１】
図２及び図３に示すように、回動リング３と係合部材４との間には、回動リング３を係合部材４の延出部４２の形成方向Ｒ２に沿って位置ずれ可能にする隙間Ｓ１が形成されている。換言すれば、回動リング３における、案内溝３２を形成する壁部３２１と、係合部材４の軸部４１の先端部との間には、回動リング３と係合部材４とを形成方向Ｒ２に相対的に位置ずれ（スライド）可能にするための隙間Ｓ１が形成されている。回動リング３は、係合部材４に対して、隙間Ｓ１の大きさに応じて形成方向Ｒ２にスライド可能である。
【００３２】
図３〜図５に示すように、回動リング３の中心側部位３５の裏面と係合部材４の軸部４１の先端面との間には、回動リング３が係合部材４の延出部４２の形成方向Ｒ２に対して傾倒可能にするための隙間Ｓ２が形成されている。また、回動リング３と、ベース部材２のキャップ２２及び静電容量検出リング１４との間には、回動リング３がベース部材２のキャップ２２及び静電容量検出リング１４に対して回動可能にするための隙間が形成されている。
【００３３】
図３及び図４に示すように、回動リング３における回動中心部３１の軸方向Ｌの先端側Ｌ１には、ベース部材２のキャップ２２の中心部に形成されたキャップ軸部２２４，２２５と同軸状に配置されるリング軸部３３が形成されている。本形態のリング軸部３３は筒状に形成されており、キャップ軸部２２４，２２５は、内周側軸部２２４と、内周側軸部２２４の外周側に形成された外周側筒部２２５とによって形成されている。そして、筒状のリング軸部３３内に内周側軸部２２４が挿入されるとともに、外周側筒部２２５内にリング軸部３３が挿入されている。
【００３４】
リング軸部３３と、内周側軸部２２４及び外周側筒部２２５との間には、キャップ２２の第１キャップ部２２１に対して回動リング３が回動できるようにするための微小な隙間Ｓ３が形成されている。そして、回動リング３を回動可能にするために形成された微小な隙間Ｓ３が、結果として回動リング３の傾倒操作を許容することとなる。
【００３５】
本形態の操作装置１において、回動リング３と、ベース部材２、係合部材４及び静電容量検出リング１４との間に形成された、回動リング３を傾倒可能にする隙間Ｓ２，Ｓ３のうち、キャップ２２と回動リング３との間の微小な隙間Ｓ３が最も小さい。そのため、回動リング３は、微小な隙間Ｓ３の形成範囲内において、軸方向Ｌに対して傾倒することが許容される。また、回動リング３は、微小な隙間Ｓ３の大きさに応じて傾倒した後には、リング軸部３３が内周側軸部２２４又は外周側筒部２２５に当接することによって傾倒が制限される。換言すれば、リング軸部３３が内周側軸部２２４又は外周側筒部２２５に当接する構造は、回動リング３の傾倒範囲を制限するストッパーの機能を果たす。
【００３６】
（電飾構造）
図３に示すように、本形態のキャップ２２を構成する第１〜第３キャップ部２２１，２２２，２２３及び回動リング３は、透明又は半透明の樹脂材料によって構成されている。キャップ２２及び回動リング３は、光を導く導光体として機能する。操作装置１の内部、特に回動リング３の外周側部位３６の内周側の位置には、発光用電子基板１６が配置されている。
【００３７】
発光用電子基板１６の軸方向Ｌの先端側Ｌ１の表面には、キャップ２２を発光させるための発光ダイオード等の複数のキャップ用発光源１６１が設けられている。キャップ用発光源１６１は、遊技機６の前方側としての先端側Ｌ１に位置するキャップ２２に向けて発光するよう構成されている。
【００３８】
図６に示すように、発光用電子基板１６の軸方向Ｌの基端側Ｌ２の表面には、回動リング３の外周側部位３６及び掛止突起３４を発光させるための発光ダイオード等の複数のリング用発光源１６２が設けられている。リング用発光源１６２は、発光用電子基板１６の外方に向けて光Ｘを出射するよう構成されている。そして、リング用発光源１６２から発せられた光Ｘは、操作装置１の外周側に位置する、回動リング３の外周側部位３６及び掛止突起３４に沿って導光されて、外周側部位３６及び掛止突起３４を発光させる。
【００３９】
図６に示すように、回動リング３の掛止突起３４は、リング用発光源１６２から発せられる光を、より強く発光させるための導光体の形状に形成されている。複数のリング用発光源１６２のうちのいくつかは、回動リング３が初期位置３０１にある状態、回動リング３が初期位置３０１から右回りに回動して、遊技盤６１の遊技領域に配置された始動入賞口へ遊技球を発射させるための最適回動位置３０２にある状態、及び回動リング３が最大回動位置３０３にある状態において、複数の掛止突起３４と対向する位置に配置されている。
【００４０】
回動リング３の初期位置３０１は、回動操作量が０°の位置とし、回動リング３の最適回動位置３０２は、回動操作量が約６０°の位置とし、回動リング３の最大回動位置３０３は、回動操作量が約９０°の位置とすることができる。回動リング３の複数の掛止突起３４は、回動リング３が初期位置３０１、最適回動位置３０２及び最大回動位置３０３にあるときに、より強く発光するよう構成されている。
【００４１】
（係合部材４）
図２及び図４に示すように、係合部材４は、回動リング３を従動部材５の従動軸部５１に対して径方向Ｒに遊動可能にするとともに、回動リング３を従動部材５の従動軸部５１に対して軸方向Ｌに傾斜（傾倒）可能にする部材として構成されている。本形態の延出部４２は、係合部材４の先端側部位における径方向Ｒの両側に突出して一対に形成されている。換言すれば、本形態の係合部材４は、回動リング３の回動中心部３１と係合する先端側部位において、径方向Ｒの両側に突出する一対の延出部４２を有する。
【００４２】
より具体的には、係合部材４は、回動リング３及び従動部材５の軸方向Ｌに平行な軸部４１と、軸部４１の先端側部位から径方向Ｒの両側に突出する一対の延出部４２とを有する。係合部材４の軸部４１における、従動軸部５１との係合部位である基端側部位には、従動軸部５１が挿入された筒形状部４１１が形成されている。本形態の軸部４１の全体は、筒状軸部として形成されている。なお、筒状軸部としての軸部４１の先端側部位は閉塞されていてもよい。
【００４３】
図２に示すように、筒形状部４１１は、従動軸部５１の面取り平面５１１に平行な平板部４１２と、従動軸部５１の外周面に対向する円弧部４１３とによって環形状に形成されている。筒形状部４１１の平板部４１２の内側面における、軸方向Ｌに直交する方向の幅は、従動軸部５１の面取り平面５１１における、軸方向Ｌに直交する方向の幅よりも大きい。係合部材４は、従動軸部５１の面取り平面５１１に平行な方向であって軸方向Ｌに直交する方向にスライド可能である。筒形状部４１１の内側面と従動軸部５１との間には、従動軸部５１に対して係合部材４を、面取り平面５１１に平行な方向であって軸方向Ｌに直交する方向に位置ずれ（スライド）可能にする隙間Ｓ４が形成されている。
【００４４】
図４及び図５に示すように、一対の延出部４２における、周方向Ｃの両側に位置する側面４２１、換言すれば軸方向Ｌに直交する両側の側面４２１は、係合部材４の径方向Ｒから見て半円状に膨らむ曲面として形成されている。この側面４２１は、回動リング３が延出部４２の中心軸線の周りの方向Ｋ１に回動（傾倒）できるように、半円状の曲面として形成されている。延出部４２の形成方向Ｒ２に直交する断面は、短径部が軸方向Ｌに位置するオーバル形状（長円形状又は長丸形状ともいう。）に形成されている。延出部４２の形成方向Ｒ２に直交する断面は、オーバル形状以外にも、例えば、円形状、楕円形状等に形成されていてもよい。
【００４５】
一対の延出部４２の半円状の曲面による側面４２１の頂部と、案内溝３２の壁部３２１の側面とは、回動リング３の径方向Ｒに沿って線接触している。そして、遊技者によって回動リング３が延出部４２の中心軸線の周りの方向Ｋ１に傾倒したときには、一対の延出部４２の側面４２１の頂部と、案内溝３２の壁部３２１の側面とが相対的に滑らかに摺動することができる。これにより、回動リング３が傾倒される力が、係合部材４に対して伝達されないようにすることができる。また、一対の延出部４２の側面４２１の頂部と案内溝３２の壁部３２１の側面とが、回動リング３の径方向Ｒに沿って線接触していることにより、遊技者によって回動リング３が周方向Ｃに回動操作されたときには、この回動操作される力が適切に係合部材４に対して伝達される。
【００４６】
延出部４２の一方は、係合部材４の軸部４１の平板部４１２に対して垂直に形成されている。延出部４２の他方は、延出部４２の一方と平行な状態で、係合部材４の軸部４１の円弧部４１３から垂直に形成されている。
【００４７】
係合部材４における筒形状部４１１と従動部材５の従動軸部５１との間には、従動軸部５１に対して係合部材４をスライド可能にするための隙間Ｓ４が形成されている。隙間Ｓ４は、従動軸部５１における、軸方向Ｌに垂直な方向であって面取り平面５１１の形成方向の両側に形成されている。回動リング３及び係合部材４は、従動軸部５１に対して隙間Ｓ４の大きさに応じてスライド（位置ずれ）可能である。
【００４８】
本形態の係合部材４の延出部４２は、軸部４１の径方向Ｒの両側に形成している（径方向Ｒから見て係合部材４がＴ形状に見えるように形成している。）。これ以外にも、延出部４２は、係合部材４の軸部４１の径方向Ｒの一方に形成してもよい。また、例えば、延出部４２は、軸部４１の径方向Ｒの４方向に、周方向に９０°の間隔で形成してもよい（軸方向Ｌから見て係合部材４が十字形状に見えるように形成してもよい。）。
【００４９】
本形態の係合部材４は、熱可塑性樹脂の成形品によって構成されている。これ以外にも、係合部材４は、弾性変形可能なエラストマー材料の成形品によって構成することもできる。この場合には、回動リング３と従動部材５の従動軸部５１との間においてエラストマー材料による係合部材４が弾性変形することによって、回動リング３の遊動及び傾倒を許容することができる。
【００５０】
（従動軸部５１に対して回動リング３を遊動及び傾倒させる構造）
図２に示すように、本形態の回動リング３は、従動軸部５１に対して、従動軸部５１の軸方向Ｌに直交する第１方向Ｒ１、並びに軸方向Ｌ及び第１方向Ｒ１の双方に直交する第２方向Ｒ２にスライド可能である。第１方向Ｒ１は、従動軸部５１の軸方向Ｌに直交するとともに従動軸部５１の面取り平面５１１と平行な方向として設定されている。第２方向Ｒ２は、従動軸部５１の軸方向Ｌに直交するとともに従動軸部５１の面取り平面５１１と垂直な方向として設定されている。第２方向Ｒ２は、係合部材４の一対の延出部４２の形成方向Ｒ２と同じ方向を示す。
【００５１】
回動リング３は、案内溝３２を形成する壁部３２１と係合部材４の軸部４１の先端部との間に形成された隙間Ｓ１、及び係合部材４の筒形状部４１１と従動部材５の従動軸部５１との間に形成された隙間Ｓ４によって、軸方向Ｌに垂直な平面内において遊動可能である。隙間Ｓ４は、筒形状部４１１内において、従動軸部５１の面取り平面５１１の第１方向Ｒ１の両側に形成されている。なお、回動リング３の遊動とは、スライド、位置ずれ、摺動と同じ意味を示す。
【００５２】
従動部材５の従動軸部５１における面取り平面５１１の形成方向Ｒ１と、係合部材４の一対の延出部４２の形成方向Ｒ２とは、互いに直交している。回動リング３は、回動リング３が係合部材４に対して、一対の延出部４２の形成方向Ｒ２に沿ってスライド（位置ずれ）するとともに、回動リング３及び係合部材４が従動軸部５１に対して、面取り平面５１１の形成方向Ｒ１に沿ってスライド（位置ずれ）することによって、軸方向Ｌに直交する平面内の任意の方向にスライド（位置ずれ）可能である。これにより、遊技者が回動リング３をスライドさせる力が、従動部材５の従動軸部５１に伝達されないようにすることができる。
【００５３】
図３及び図５に示すように、回動リング３と、回動リング３の周辺に配置された各部材４，２２との間に隙間Ｓ２，Ｓ３が形成されていること、及び係合部材４の一対の延出部４２の側面４２１が半円状の曲面に形成されていることによって、回動リング３が軸方向Ｌに対して傾倒されるときには、回動リング３から係合部材４に不要な力が伝達されないようにする。
【００５４】
より具体的には、係合部材４の一対の延出部４２の側面４２１が半円状の曲面に形成されていることにより、回動リング３は、一対の延出部４２の中心軸線の周りの方向Ｋ１に向けて回動する。また、回動リング３における中心側部位３５の軸方向Ｌの基端側Ｌ２の表面と、係合部材４における軸部４１の軸方向Ｌの先端側Ｌ１の先端面との間には、回動リング３を延出部４２の形成方向Ｒ２に対して傾斜させる方向Ｋ２に傾倒可能にする隙間Ｓ２が形成されている。隙間Ｓ２は、回動リング３が一対の延出部４２の中心軸線の周りの方向Ｋ１へ傾倒することも許容する。
【００５５】
こうして、回動リング３は、係合部材４の延出部４２の中心軸線の周りの方向Ｋ１に回動可能であるとともに、係合部材４の延出部４２の形成方向Ｒ２に対して傾斜する方向Ｋ２に回動可能であることにより、軸方向Ｌに対して任意の方向に傾倒可能である。図５においては、回動リング３が係合部材４に対して方向Ｋ１に傾倒した状態を二点鎖線Ｆによって示す。回動リング３が軸方向Ｌに対して任意の方向に傾倒可能であることにより、遊技者が回動リング３を傾倒させる力が、従動部材５の従動軸部５１に伝達されないようにすることができる。
【００５６】
なお、回動リング３とベース部材２のキャップ２２の第２、第３キャップ部２２２，２２３との間、回動リング３と静電容量検出リング１４との間、及び回動リング３とベース部材２のベース２１との間にも、若干の隙間が形成されている。また、上述したように、回動リング３とキャップ２２の第１キャップ部２２１との間にも微小な隙間Ｓ３が形成されている。
【００５７】
各隙間Ｓ１，Ｓ２，Ｓ３，Ｓ４の大きさの関係は、隙間Ｓ１と隙間Ｓ２とが同じくらいの大きさであり、隙間Ｓ１，Ｓ２が隙間Ｓ４以上の大きさであり、隙間Ｓ４が隙間Ｓ３よりも大きいといった関係にある。そして、隙間Ｓ３が最も小さく、回動リング３が遊技者によって傾倒されたときには、回動リング３とキャップ２２の第１キャップ部２２１とが当接する。これにより、遊技者が回動リング３を傾倒させる不適切な力がキャップ２２の第１キャップ部２２１によって受け止められ、この不適切な力が従動軸部５１に負荷として伝達されることが防止される。
【００５８】
このように、本形態の操作装置１は、遊技者が回動リング３をスライド又は傾倒させようとする不適切な力を吸収する構造を有する。そのため、繊細かつ回動量の精度が求められる、回転軸機構を有する従動部材（ボリューム）５に、不要な負荷が伝達されることを防止し、従動部材５を保護することができる。
【００５９】
（操作装置１の動作）
遊技機６においてパチンコ遊技を行う際には、遊技者は、操作装置１を把持する。このとき、遊技者の手が静電容量検出リング１４に触れると、静電容量センサ１５が遊技者の静電容量を検出する。遊技機６の初期状態において、回動リング３は初期位置３０１にあり、リング用発光源１６２の光によって回動リング３の掛止突起３４が発光している。
【００６０】
そして、遊技者が、掛止突起３４に指を掛けて回動リング３を右回りに回動させると、静電容量センサ１５が静電容量を検出していることを前提に、球発射装置６２から遊技盤６１の遊技領域に向けて遊技球が発射される。また、回動リング３が最適回動位置３０２に回動されると、リング用発光源１６２の光が回動リング３の掛止突起３４に効果的に導かれ、掛止突起３４が発光する。
【００６１】
遊技者が回動リング３を回動操作するときには、回動リング３は、回動リング３、係合部材４及び従動軸部５１に形成された遊動及び傾倒を許容する構成により、軸方向Ｌに直交する方向に若干位置ずれすることができ、軸方向Ｌに対して若干傾倒することができる。具体的には、係合部材４に対して回動リング３が、係合部材４の一対の延出部４２の形成方向Ｒ２に位置ずれすることにより、回動リング３を位置ずれさせようとする力が係合部材４に対して伝達されない。また、従動軸部５１に対して係合部材４及び回動リング３が、従動軸部５１の面取り平面５１１に平行な方向Ｒ１に位置ずれすることにより、回動リング３を位置ずれさせようとする力が従動軸部５１に対して伝達されない。これにより、遊技者が回動リング３を軸方向Ｌに直交する方向に位置ずれさせようとする力が、従動部材５の従動軸部５１に負荷として加わることを防止することができる。
【００６２】
また、遊技者が回動リング３を軸方向Ｌに対して傾斜させようとする力に対しては、従動軸部５１及び係合部材４に対して回動リング３が、回動リング３と、キャップ２２及び係合部材４との間に形成された隙間Ｓ２，Ｓ３、及び係合部材４の一対の延出部４２の半円状に膨らむ曲面としての側面４２１によって、方向Ｋ１及び方向Ｋ２に若干傾くことができる。そして、回動リング３を軸方向Ｌに対して傾斜させようとする力が係合部材４に伝達されない。これにより、遊技者が回動リング３を軸方向Ｌに対して傾斜させようとする力が、従動部材５の従動軸部５１に負荷として加わることを防止することができる。
【００６３】
（作用効果）
本形態の遊技機６の操作装置１においては、回動リング３の回動中心部３１と従動部材５の従動軸部５１とに係合する係合部材４の形状に工夫をしている。具体的には、係合部材４の一対の延出部４２、一対の延出部４２における曲面としての側面４２１、及び従動軸部５１の面取り平面５１１に沿ってスライドする、係合部材４の筒形状部４１１の形成等の工夫をしている。
【００６４】
そして、例えば、回動リング３とベース部材２、静電容量検出リング１４等との間に形成された隙間等を介して、遊技者によって回動リング３がこじられるときには、回動リング３は、延出部４２における半球状の曲面としての側面４２１、及び隙間Ｓ２，Ｓ３等を利用して、軸方向Ｌに対して傾くことができる。また、このときには、回動リング３は、一対の案内溝３２に対する係合部材４の一対の延出部４２のスライド、及び従動軸部５１に対する係合部材４の筒形状部４１１のスライドを利用して、軸方向Ｌに直交する方向に位置ずれすることができる。これにより、回動リング３を不正にこじるときの負荷が、係合部材４を介して従動部材５の従動軸部５１に伝達されないようにすることができる。
【００６５】
一方、回動リング３を回動させる力は、回動リング３の一対の案内溝３２と係合部材４の一対の延出部４２の両側面４２１における凸状の曲面との当接係合を介して係合部材４に伝達され、係合部材４の筒形状部４１１の平板部４１２及び従動軸部５１の面取り平面５１１を介して、係合部材４から従動部材５の従動軸部５１に伝達される。これにより、回動リング３の回動操作性を良好に維持することができる。
【００６６】
それ故、本形態の遊技機６の操作装置１によれば、回動リング３の回動操作性を良好に維持しつつ、回動リング３から従動部材５の従動軸部５１に不要な負荷が伝達されないようにすることができる。
【００６７】
本形態の操作装置１においては、係合部材４を用いることにより、操作装置１を構成する部品点数の低減及び操作装置１の組付性の向上を図ることができる。従動部材５としてのボリュームの操作部に加わる負荷を低減する方法としては、ボリュームの操作部に対して一対の歯車を介して、回動リング３の軸部を係合させ、回動リング３の回動操作を一対の歯車を介してボリュームの操作部に伝達する方法がある。この場合には、歯車間のバックラッシ（がたつき）をなくすために、バネ等を用いることが行われている。この場合には、部品点数が多くなるだけでなく、操作装置の組付性も十分ではなかった。
【００６８】
本発明は、各実施形態のみに限定されるものではなく、その要旨を逸脱しない範囲においてさらに異なる実施形態を構成することが可能である。また、本発明は、様々な変形例、均等範囲内の変形例等を含む。さらに、本発明から想定される様々な構成要素の組み合わせ、形態等も本発明の技術思想に含まれる。
【符号の説明】
【００６９】
１  操作装置
２  ベース部材
３  回動リング
３１  回動中心部
３２  案内溝
４  係合部材
４１  軸部
４１１  筒形状部
４２  延出部
４２１  側面
５  従動部材（ボリューム）
５１  従動軸部（操作部）
５１１  面取り平面
６  遊技機
【図１】
2020137673.tif 000003
【図２】
2020137673.tif 000004
【図３】
2020137673.tif 000005
【図４】
2020137673.tif 000006
【図５】
2020137673.tif 000007
【図６】
2020137673.tif 000008
【図７】
2020137673.tif 000009